(57)【要約】【課題】付加機能手段を含んでも、表示装置の非表示部が大きくなることを防止し、また、 表示装置を形成する各構成部分の配置を効率化して、表示装置を短小化する。【解決手段】本発明は、別途の光源を使用する表示装置に関する発明であって、本発明の一実施形態による表示装置は、複数の辺と、これら複数の辺が互いに相接する複数の角とで形成される多角形の水平断面を有する導光板、導光板の複数の角のうちの少なくとも一つに配置されている少なくとも一つの光源を実装する印刷回路基板、導光板と重なるように配置されている表示パネル、及び光源が配置されている角から延長されている導光板の辺に隣接するように配置されている付加機能モジュールを含み、導光板の光源が配置されている角から延長されている辺には、光源が配置されている角に比べて落ち込んだ陥没部が形成されており、付加機能モジュールは陥没部に配置されている。【選択図】図１
2014032948.tif 000002
【特許請求の範囲】
【請求項１】
複数の辺と、これら複数の辺が互いに相接する複数の角とで形成される多角形の水平断面を有する導光板、
前記導光板の複数の角のうちの少なくとも一つに配置されている少なくとも一つの光源を実装する印刷回路基板、
前記導光板と重なるように配置されている表示パネル、及び
前記光源が配置されている角から延長されている前記導光板の辺に隣接するように配置されている付加機能モジュールを含み、
前記導光板の前記光源が配置されている角から延長されている辺には、前記光源が配置されている角に比べて落ち込んだ陥没部が形成されており、前記付加機能モジュールは前記陥没部に配置されている、表示装置。
【請求項２】
前記光源は、前記印刷回路基板の両端にそれぞれ配置されている第１光源及び第２光源を含む、請求項１に記載の表示装置。
【請求項３】
前記印刷回路基板の中央部の幅が前記両端に比べて狭く、前記印刷回路基板の中央部の幅が狭くて形成される空間は、前記導光板の陥没部と重なる、請求項２に記載の表示装置。
【請求項４】
前記導光板、前記表示パネル、前記印刷回路基板、及び前記付加機能モジュールを取り囲むトップシャシーをさらに含む、請求項３に記載の表示装置。
【請求項５】
前記導光板、前記表示パネル、及び前記印刷回路基板を取り囲んでおり、前記付加機能モジュールと、前記導光板、前記表示パネル、及び前記印刷回路基板との間を分離するフレームをさらに含む、請求項４に記載の表示装置。
【請求項６】
前記光源は、第１光源及び第２光源を含み、
前記印刷回路基板は、前記第１光源を実装する第１印刷回路基板及び前記第２光源を実装する第２印刷回路基板を含み、
前記第１印刷回路基板と前記第２印刷回路基板との間を連結するフレキシブル回路フィルムをさらに含む、請求項１に記載の表示装置。
【請求項７】
前記フレキシブル回路フィルムが配置されることによって形成される空間は、前記導光板の陥没部と重なる、請求項６に記載の表示装置。
【請求項８】
前記導光板、前記表示パネル、前記印刷回路基板、前記フレキシブル回路フィルム、及び前記付加機能モジュールを取り囲むトップシャシーをさらに含む、請求項７に記載の表示装置。
【請求項９】
前記導光板、前記表示パネル、前記印刷回路基板、及び前記付加機能モジュールを取り囲むトップシャシーをさらに含む、請求項１に記載の表示装置。
【請求項１０】
前記付加機能モジュールは、カメラモジュールまたはアンテナモジュールのうちの少なくとも一つを含む、請求項１に記載の表示装置。
【発明の詳細な説明】
【技術分野】
【０００１】
本発明は、液晶表示装置のように別途の光源を使用して表示を行う表示装置に関する。
【背景技術】
【０００２】
表示装置には、自ら光を出してイメージを表示する自発光型表示装置と、別途の光源が出す光を制御してイメージを表示する受光型表示装置とがある。受光型表示装置の中で代表的なものが液晶表示装置である。
【０００３】
液晶表示装置は、現在、最も幅広く使用されている平板表示装置の一つであって、画素電極と共通電極など電界生成電極（ｆｉｅｌｄ  ｇｅｎｅｒａｔｉｎｇ  ｅｌｅｃｔｒｏｄｅ）が形成されている二枚の表示板と、その間に挿入されている液晶層とを含み、これら液晶層を挟持した表示板に光を提供するバックライトモジュールを含む。液晶表示装置は、電界生成電極に電圧を印加して液晶層に電界を生成し、これを通じて液晶層の液晶分子の方向を決定し、バックライトモジュールが提供する光の出射量を制御することによって映像を表示する。バックライトモジュールは、光を出す光源、光源が出した光を分散して面光源に変換する導光板、及び各種補償フィルムと拡散フィルムなどを含む。
【０００４】
現在、液晶表示装置が多様な携帯機器に使用されながら各種付加機能手段が加えられており、そのうちの代表的なものとしてカメラモジュールや通信用アンテナなどが挙げられる。しかし、このような付加機能手段を加える場合、液晶表示装置のベーゼル（bezel）などの表示に寄与できない部分の大きさが大きくなる問題点がある。
【先行技術文献】
【特許文献】
【０００５】
【特許文献１】特許３３６６５８９号明細書
【特許文献２】特開２００３−２４９１１２号公報
【発明の概要】
【発明が解決しようとする課題】
【０００６】
本発明の目的は、付加機能手段を含んでも、表示装置の非表示部が大きくなることを防止することにある。
【０００７】
また、本発明の他の目的は、表示装置を形成する各構成部分の配置を効率化して、表示装置を短小化することにある。
【課題を解決するための手段】
【０００８】
本発明の一実施形態による表示装置は、複数の辺と、これらの複数の辺が互いに相接する複数の角とで形成される多角形の水平断面を有する導光板、前記導光板の複数の角のうちの少なくとも一つに配置されている少なくとも一つの光源を実装する印刷回路基板、前記導光板と重なるように配置されている表示パネル、及び前記光源が配置されている角から延長されている前記導光板の辺に隣接するように配置されている付加機能モジュールを含み、前記導光板の前記光源が配置されている角から延長されている辺には、前記光源が配置されている角に比べて落ち込んだ陥没部が形成されており、前記付加機能モジュールは前記陥没部に配置されている。
【０００９】
本発明の他の実施形態による表示装置は、複数の辺と、これら複数の辺が互いに相接する複数の角とで形成される多角形の水平断面を有する導光板、前記導光板の複数の角のうちの少なくとも一つに配置されている少なくとも一つの光源を実装する印刷回路基板、前記導光板と重なるように配置されている表示パネル、前記導光板、前記印刷回路基板、及び前記表示パネルを収納するトップシャシー、及び前記トップシャシーの外側に配置されており、前記光源が配置されている角から延長されている前記導光板の辺に隣接するように配置されている付加機能モジュールを含み、前記トップシャシーは、他の部分に比べて下へ落ち込んだ陥没部を有し、前記付加機能モジュールは前記トップシャシーの陥没部に配置されている。
【発明の効果】
【００１０】
本発明の一実施例によれば、光源を導光板の角に配置することによって生じる空間に、付加機能手段を配置することによって、表示装置を短小化することができる。
【図面の簡単な説明】
【００１１】
【図１】本発明の一実施形態による液晶表示装置の配置図である。
【図２】本発明の一実施形態による液晶表示装置の分解斜視図である。
【図３】本発明の一実施形態による液晶表示装置のバックライトモジュールの配置図である。
【図４】本発明の一実施形態による液晶表示装置の側断面図である。
【図５】本発明の他の実施形態による液晶表示装置のバックライトモジュールの配置図である。
【図６】本発明の他の実施形態による液晶表示装置の側断面図である。
【図７】本発明の他の実施形態による液晶表示装置の配置図である。
【図８】本発明の他の実施形態による液晶表示装置の配置図である。
【発明を実施するための形態】
【００１２】
以下、添付した図面を参照して、本発明の実施例について、本発明が属する技術分野における通常の知識を有する者が容易に実施できるように詳細に説明する。しかし、本発明は、種々の異なる形態に実現でき、ここで説明する実施例に限られない。
【００１３】
図面において、種々の層及び領域を明確に表現するために厚さを拡大して示した。明細書の全体にわたって類似する部分に対しては同一の図面符号を付けた。層、膜、領域、板などの部分が他の部分の「上」にあるという時、これは他の部分の「すぐ上」にある場合だけでなく、その中間に他の部分がある場合も含む。一方、ある部分が他の部分の「すぐ上」にあるという時には、中間に他の部分がないことを意味する。
【００１４】
まず、図１乃至図４を参照して、本発明の一実施形態による液晶表示装置について説明する。
【００１５】
図１は、本発明の一実施形態による液晶表示装置の配置図であり、図２は、本発明の一実施形態による液晶表示装置の分解斜視図であり、図３は、本発明の一実施形態による液晶表示装置のバックライトモジュールの配置図である。
【００１６】
本発明の一実施形態による液晶表示装置は、互いに対向する二つの表示板（図示せず）と、これらの間に挿入されている液晶層（図示せず）とを含む表示パネル６０、及び表示パネル６０に光を提供するバックライトモジュールを含む。
【００１７】
図１には、簡略化のために、表示パネルにおいて映像の表示に寄与する表示部１０１を基準として、バックライトモジュールを構成する光源３１、３２と導光板２１、カメラやアンテナなど付加機能を行う付加機能モジュール４１、並びにこれらバックライトモジュール、表示パネル、及び付加機能モジュール４１を収納するトップシャシー７０だけが示されている。
【００１８】
本発明の一実施形態による液晶表示装置を構成するバックライトモジュールの光源３１、３２は、導光板２１の二つの角に配置されている。ここで、光源３１、３２としては発光ダイオード（ｌｉｇｈｔ  ｅｍｉｔｔｉｎｇ  ｄｉｏｄｅ：ＬＥＤ）などを用いてもよい。このように、光源３１、３２を導光板２１の角に配置すれば、二つの光源３１、３２の間に置かれる導光板２１の辺の周囲に余裕空間が生じるが、この部分に付加機能モジュール４１を配置することによって、液晶表示装置の大きさを増加させることなく、付加機能モジュール４１を配置することができる。トップシャシー７０は、バックライトモジュール及び表示パネルと共に、付加機能モジュール４１まで取り囲むように構成されている。
【００１９】
図２乃至図４を参照すれば、表示パネル６０、フレーム５１、各種フィルム５０、導光板２１、光源アセンブリ３０、バックカバー４０、及びその上に配置した付加機能モジュール４１が順次に配置されており、トップシャシー７０がこれら全てを取り囲むように配置されている。なお、図４は、図２の長辺方向の中央部分を、長辺方向と直交する方向に切断した液晶表示装置の側断面図である。各種フィルム５０としては、拡散フィルムと補償フィルムなどが含まれてもよく、光源アセンブリ３０は、印刷回路基板（ＰＣＢ）３４、その上に実装されている光源３１、３２、並びに印刷回路基板３４と電源（図示せず）及び表示装置制御部（図示せず）の間を連結するフレキシブル回路フィルム（ＦＰＣ）３６を含む。印刷回路基板３４は、光源３１、３２が実装されている両端部に比べて両端部の間を連結する中央部の幅が狭く形成されており、中央部は両端部の下部と連結されていて、中央部の上に空の空間が形成される。導光板２１も印刷回路基板３４の中央部と対応する部分が、印刷回路基板３４の両端部と対応する部分に比べて図３中の下へ落ち込んでいて、印刷回路基板３４の中央部の上の空の空間が導光板２１の上に拡張されている。つまり、印刷回路基板３４及び導光板２１は、光源３１、３２が配置される両端部を除く、長辺方向の中央部分に窪みを有するように形成されている。フレーム５１の中央部分も図２に示すように、印刷回路基板３４及び導光板２１に対応して中央部分において窪みをゆうしていてもよい。光源アセンブリ３０のフレキシブル回路フィルム３６は、印刷回路基板３４に一端部が連結されており、導光板２１を基準として表示パネル６０が配置される部分の反対側に位置する。
【００２０】
図３を参照すれば、導光板２１は全体的に長方形であり、長方形の二つの角が切られて面取りされている。導光板２１の面取りされた部分に光源３１、３２が配置されており、面取りされた二つの角を連結する導光板２１の辺が印刷回路基板３４の中央部と隣接するように配置され、図３中の下に落ち込んでいる。必要に応じては導光板２１を面取りしない状態で使用してもよい。
【００２１】
図４を参照すれば、表示パネル６０は、導光板２１の下へ落ち込んだ部分よりさらに下に置かれるように配置されており、導光板２１と表示パネル６０をフレーム５１が取り囲んでいる。付加機能モジュール４１はフレーム５１の外側に配置されていて、フレーム５１によって付加機能モジュール４１と表示パネル６０及び導光板２１が分離されている。トップシャシー７０は、表示パネル６０の周辺部と共に付加機能モジュール４１まで覆うように配置されている。
【００２２】
以上のように、光源３１、３２を導光板２１の角に配置し、二つの光源３１、３２の間に介在する印刷回路基板３４と導光板２１を切り取って空間を確保し、この空間に付加機能モジュール４１を配置することによって、液晶表示装置の大きさを増加させることなく、付加機能モジュール４１を配置することができる。
【００２３】
図５を参照して、本発明の他の実施例について説明する。
【００２４】
図５の実施例は、図１乃至図４の実施例と比較すれば、印刷回路基板３４１、３４２が両側に分離されており、これらの間をフレキシブル回路フィルム３８が連結している点が異なる。それぞれの印刷回路基板３４１、３４２には光源３２、３１がそれぞれ実装されており、フレキシブル回路フィルム３８が、フレキシブル回路フィルム３６と印刷回路基板３４１を通して、印刷回路基板３４２に供給される電源と電気信号を伝達する。
【００２５】
図６及び図７を参照して、本発明の他の実施例について説明する。なお、図６は、図５の長辺方向の中央部分を、長辺方向と直交する方向に切断した液晶表示装置の側断面図である。
【００２６】
図６及び図７の実施例は、図１乃至図４の実施例に比較すれば、付加機能モジュール４１がトップシャシー７０の外側に配置される点が異なる。このような配置のためにトップシャシー７０の上側面が図７に示すように部分的に下へ落ち込んで陥没している形状になっている。このようなトップシャシー７０の陥没部は、印刷回路基板３４と導光板２１が下へ落ち込んだ部分と対応する位置に配置されている。付加機能モジュール４１はトップシャシー７０の陥没部に配置されていて、付加機能モジュール４１を配置するために液晶表示装置の周縁が広くなることを防止する。
【００２７】
図８を参照して、本発明の他の実施例について説明する。
【００２８】
図８の実施例は、図６及び図７の実施例と比較すれば、光源３２が導光板２１の一つの角だけに配置されており、トップシャシー７０の陥没部が上側面の一端まで拡張されている点が異なる。言い換えれば、トップシャシー７０は１つの光源３２が配置される一端部においてのみ突出するように陥没部が形成されている。光源３２として使用される発光ダイオードの性能が向上して、一つだけでも光量が十分な場合には、このような構造を採用してもよい。
【００２９】
図８の実施例では、付加機能モジュール４１がトップシャシー７０の外側に配置されているが、付加機能モジュール４１をトップシャシー７０の内側に配置することも可能である。つまり、図１乃至図４の実施例において二つの光源３１、３２のいずれか一つを省略し、残る光源に対応する部分においてトップシャシー７０を突出させるようにることも可能である。
【００３０】
以上、本発明の好ましい実施形態について詳細に説明したが、本発明の権利範囲はこれに限定されることではなく、請求範囲で定義している本発明の基本概念を利用した当業者の種々の変形及び改良形態も本発明の権利範囲に属するものである。
【符号の説明】
【００３１】
６０  表示パネル
５１  フレーム
５０  各種フィルム
２１  導光板
３０  光源アセンブリ
３４、３４１、３４２  印刷回路基板
３６、３８  フレキシブル回路フィルム
４０  バックカバー
７０  トップシャシー
３１、３２  光源
【図１】
2014032948.tif 000003
【図２】
2014032948.tif 000004
【図３】
2014032948.tif 000005
【図４】
2014032948.tif 000006
【図５】
2014032948.tif 000007
【図６】
2014032948.tif 000008
【図７】
2014032948.tif 000009
【図８】
2014032948.tif 000010